(57)【要約】【課題】ベース部に複数台の実装機モジュールを載置した部品実装システムにおいて、実装機モジュールの横幅に制約されずに操作・表示パネルの大画面化を低コストで実現できるようにする。【解決手段】部品実装システムのベース部１１上に載置した複数台の実装機モジュール１２に対して共通して使用する操作部及び表示部となる操作・表示パネル１４をベース部１１に設ける。操作・表示パネル１４と複数台の実装機モジュール１４との間の信号の入出力を、ネットワーク回線１３に接続したマルチプレクサ１５で切り換えるように構成する。操作・表示パネル１４をタッチパネルにより構成し、１台の実装機モジュール１２の情報を表示するシングル表示モードと、２台以上の実装機モジュール１２の情報を同時に表示するマルチ表示モードと、ベース部１１の情報を表示するベース部情報表示モードとの間で切換可能に構成する。【選択図】図１
2015090943.tif 000002
【特許請求の範囲】
【請求項１】
ベース部に複数台の実装機モジュールを載置して、回路基板を前記複数台の実装機モジュールに搬送して各実装機モジュールで該回路基板に部品を実装する部品実装システムにおいて、
前記複数台の実装機モジュールに対して共通して使用する操作部及び表示部となる操作・表示パネルを前記ベース部に設けたことを特徴とする部品実装システム。
【請求項２】
前記操作・表示パネルは、２台以上の実装機モジュールの情報を同時に表示する表示モードに切換可能に構成されていることを特徴とする請求項１に記載の部品実装システム。
【請求項３】
前記操作・表示パネルは、前記ベース部の情報を表示する表示モードに切換可能に構成されていることを特徴とする請求項１又は２に記載の部品実装システム。
【請求項４】
前記複数台の実装機モジュールと前記操作・表示パネルとの間の信号の入出力をマルチプレクサで切り換えるように構成されていることを特徴とする請求項１乃至３のいずれかに記載の部品実装システム。
【請求項５】
前記操作・表示パネルは、タッチパネルにより構成されていることを特徴とする請求項１乃至４のいずれかに記載の部品実装システム。
【請求項６】
前記ベース部には、前記操作・表示パネルを前記実装機モジュールの上部側に配置するように支持する支持部材が設けられていることを特徴とする請求項１乃至５のいずれかに記載の部品実装システム。
【請求項７】
前記支持部材は、前記ベース部上の実装機モジュールの入れ替え時に前記操作・表示パネルを前記実装機モジュールの上面よりも高い位置に支持し、作業者が該操作・表示パネルを操作するときに該操作・表示パネルを操作可能な位置に下降させるように構成されていることを特徴とする請求項６に記載の部品実装システム。
【発明の詳細な説明】
【技術分野】
【０００１】
本発明は、ベース部に載置した複数台の実装機モジュールの操作及び表示を行う構成を改良した部品実装システムに関する発明である。
【背景技術】
【０００２】
特許文献１（特開２０１２−１５６４１２号公報）に記載されているように、ベース部上に複数台の実装機モジュールを載置して、回路基板を複数台の実装機モジュールに搬送して各実装機モジュールで該回路基板に部品を実装するようにしたモジュール型の部品実装システムがある。この部品実装システムでは、ベース部上の各実装機モジュールにそれぞれ操作・表示パネル（表示モニタ）を設けて、各実装機モジュールの操作や情報の表示を行うようにしている。
【先行技術文献】
【特許文献】
【０００３】
【特許文献１】特開２０１２−１５６４１２号公報
【発明の概要】
【発明が解決しようとする課題】
【０００４】
近年の回路基板の小型化に伴って実装機モジュールも小型化し、実装機モジュールの横幅が狭くなる傾向がある。この実装機モジュールの幅狭化に伴って、実装機モジュール毎に設ける操作・表示パネルの画面サイズも小型化する必要があり、操作・表示パネルの大画面化が困難になっている。大きな画面は、作業者から見やすく、より多くの情報を表示できるため、操作・表示パネルの大画面化の要求がある。しかも、全ての実装機モジュールにそれぞれ操作・表示パネルを設ける必要があり、コスト高になる欠点もある。
【０００５】
そこで、本発明が解決しようとする課題は、実装機モジュールの横幅に制約されずに操作・表示パネルの大画面化を低コストで実現できる部品実装システムを提供することである。
【課題を解決するための手段】
【０００６】
上記課題を解決するために、請求項１に係る発明は、ベース部に複数台の実装機モジュールを載置して、回路基板を前記複数台の実装機モジュールに搬送して各実装機モジュールで該回路基板に部品を実装する部品実装システムにおいて、前記複数台の実装機モジュールに対して共通して使用する操作部及び表示部となる操作・表示パネルを前記ベース部に設けたことを特徴とするものである。
【０００７】
本発明では、複数台の実装機モジュールに対して共通して使用する操作・表示パネルをベース部に設けているため、実装機モジュールの横幅が狭くなっても、その実装機モジュールの横幅よりも大きな画面サイズの操作・表示パネルを容易に部品実装システムに設けることができて、実装機モジュールの横幅に制約されずに操作・表示パネルの大画面化を容易に実現できる。しかも、実装機モジュール毎の個別の操作・表示パネルを省略することができ、コストダウンも実現できる。
【０００８】
この場合、請求項２のように、操作・表示パネルは、２台以上の実装機モジュールの情報を同時に表示する表示モードに切換可能に構成しても良い。このようにすれば、２台以上の実装機モジュールの情報を同時に表示する表示モードに切り換えることで、２台以上の実装機モジュールを横断的に管理する情報を１つの操作・表示パネルの画面に集約して表示可能となり、部品実装システムの管理が容易となる。
【０００９】
また、請求項３のように、操作・表示パネルは、ベース部の情報を表示する表示モードに切換可能に構成しても良い。このようにすれば、ベース部の情報を表示する表示モードに切り換えることで、従来構成では表示できなかったベース部の情報も操作・表示パネルの画面に表示可能となり、ベース部の管理も容易となる。
【００１０】
また、請求項４のように、複数台の実装機モジュールと操作・表示パネルとの間の信号の入出力をマルチプレクサで切り換えるように構成しても良い。マルチプレクサを用いることで、複数台の実装機モジュールと操作・表示パネルとの間の通信回路を低コストで構成できる。
【００１１】
本発明は、操作・表示パネルの操作部と表示部を個別に構成しても良いし、請求項５のように、操作・表示パネルをタッチパネルにより構成しても良い。タッチパネルを用いれば、画面に表示する操作部の表示態様をソフトウエアで簡単に変更できるため、操作の多様化にも容易に対応できる。
【００１２】
本発明は、操作・表示パネルをベース部の正面又は側方に配置しても良いし、請求項６のように、ベース部に、操作・表示パネルを実装機モジュールの上部側に配置するように支持する支持部材を設けて、操作・表示パネルを実装機モジュールの上部側に配置するようにしても良い。このようにすれば、作業者が操作・表示パネルの画面を離れた場所からでも見やすくなる。
【００１３】
ところで、操作・表示パネルを実装機モジュールの上部側に配置した構成にすると、作業者の身長が低い場合や、実装機モジュールの高さが高い場合には、作業者から見て操作・表示パネルの位置が高くなり過ぎて、操作・表示パネルを操作し難くなる可能性がある。
【００１４】
そこで、請求項７のように、操作・表示パネルを支持する支持部材は、ベース部上の実装機モジュールの入れ替え時（操作・表示パネルを使用しないとき）に操作・表示パネルを実装機モジュールの上面よりも高い位置に支持し、作業者が該操作・表示パネルを操作するときに該操作・表示パネルを操作可能な位置（好ましくは操作しやすい位置）に下降させるように構成しても良い。このように、作業者が操作・表示パネルを操作するときに操作・表示パネルを操作可能な位置（好ましくは操作しやすい位置）に下降させるようにすれば、作業者の身長が低い場合や、実装機モジュールの高さが高い場合でも、作業者が操作・表示パネルを操作可能な位置（好ましくは操作しやすい位置）に下降させることができて、操作性を確保できる。
【図面の簡単な説明】
【００１５】
【図１】図１は本発明の実施例１における部品実装システムの構成を示す正面図である。
【図２】図２は本発明の実施例２における部品実装システムの操作・表示パネルの使用時の状態を示す正面図である。
【図３】図３は本発明の実施例２における部品実装システムの操作・表示パネルの非使用時の状態を示す正面図である。
【発明を実施するための形態】
【００１６】
以下、本発明を実施するための形態を具体化した２つの実施例１，２を説明する。
【実施例１】
【００１７】
本発明の実施例１を図１に基づいて説明する。
まず、部品実装システム全体の構成を説明する。
部品実装システムのベース部１１上に、回路基板の搬送方向に隣接して複数台の実装機モジュール１２が取り替え可能に一列に載置されている。図示はしないが、各実装機モジュール１２は、部品を供給するテープフィーダ等の部品供給装置、回路基板を搬送するコンベア、部品供給装置から供給される部品を吸着ノズルに吸着して回路基板に実装する実装ヘッド等を搭載して構成されている。
【００１８】
ベース部１１内には、複数台の実装機モジュール１２を接続するネットワーク回線１３や、通信管理用のＣＰＵ（図示せず）が配設されている。ベース部１１上の複数台の実装機モジュール１２に対して共通して使用する操作部及び表示部となる操作・表示パネル１４がベース部１１に設けられている。操作・表示パネル１４と複数台の実装機モジュール１４との間の信号の入出力を、ネットワーク回線１３に接続したマルチプレクサ１５で切り換えるように構成されている。操作・表示パネル１４は、ベース部１１の正面又は側方のいずれに配置しても良く、要は、作業者から目視可能で且つ操作可能な位置に配置すれば良い。
【００１９】
操作・表示パネル１４は、タッチパネルにより構成され、その画面に表示する操作部の表示態様をソフトウエアで変更できるようになっている。操作・表示パネル１４は、１台の実装機モジュール１２の情報を表示するシングル表示モードと、２台以上の実装機モジュール１２の情報を画面を分割して同時に表示するマルチ表示モードと、ベース部１１の情報を表示するベース部情報表示モードとの間で切換可能に構成されている。操作・表示パネル１４の画面に２台以上の実装機モジュール１２の情報を同時に表示する場合は、表示する実装機モジュール１２を操作・表示パネル１４のタッチ操作により指定できるようになっている。
【００２０】
以上説明した本実施例１によれば、ベース部１１上の複数台の実装機モジュール１２に対して共通して使用する操作・表示パネル１４をベース部１１に設けているため、実装機モジュール１２の横幅が狭くなっても、その実装機モジュール１２の横幅よりも大きな画面サイズの操作・表示パネル１４を容易に設けることができて、実装機モジュール１２の横幅に制約されずに操作・表示パネル１４の大画面化を容易に実現できる。しかも、実装機モジュール１２毎の個別の操作・表示パネルを省略することができ、コストダウンも実現できる。
【００２１】
更に、本実施例１では、操作・表示パネル１４の画面に２台以上の実装機モジュール１２の情報を同時に表示するマルチ表示モードに切換可能に構成したので、マルチ表示モードに切り換えることで、２台以上の実装機モジュール１２を横断的に管理する情報を１つの操作・表示パネル１４の画面に集約して表示でき、部品実装システムの管理が容易となる。
【００２２】
また、本実施例１では、操作・表示パネル１４の画面にベース部１１の情報を表示するベース部情報表示モードに切換可能に構成したので、ベース部情報表示モードに切り換えることで、従来構成では表示できなかったベース部１１の情報も操作・表示パネル１４の画面に表示でき、ベース部１１の管理も容易となる。
【００２３】
また、本実施例１では、複数台の実装機モジュール１２と操作・表示パネル１４との間の信号の入出力をマルチプレクサ１５で切り換えるように構成したので、複数台の実装機モジュール１２と操作・表示パネル１４との間の通信回路を低コストで構成できる。
【００２４】
更に、本実施例１では、操作・表示パネル１４をタッチパネルにより構成したので、画面に表示する操作部の表示態様をソフトウエアで簡単に変更でき、操作の多様化にも容易に対応できる。
【実施例２】
【００２５】
上記実施例１では、操作・表示パネル１４をベース部１１の正面又は側方に配置したが、図２及び図３に示す本発明の実施例２では、ベース部１１に、操作・表示パネル１４を実装機モジュール１２の上部側に配置するように支持する支持部材２１を設けて、操作・表示パネル１４を実装機モジュール１２の上部側に配置するようにしている。
【００２６】
このように、操作・表示パネル１４を実装機モジュール１２の上部側に配置した構成にすると、作業者の身長が低い場合や、実装機モジュール１２の高さが高い場合には、作業者から見て操作・表示パネル１４の位置が高くなり過ぎて、操作・表示パネル１４を操作し難くなる可能性がある。
【００２７】
そこで、本実施例２では、操作・表示パネル１４を支持する支持部材２１は、ベース部１１上の実装機モジュール１２の入れ替え時等（操作・表示パネル１４を使用しないとき）に、図２に示すように、操作・表示パネル１４を実装機モジュール１２の上面よりも高い位置に支持し、作業者が該操作・表示パネル１４を操作するときに、図３に示すように、作業者が該操作・表示パネル１４を操作可能な位置（好ましくは操作しやすい位置）に下降させるように構成している。尚、操作・表示パネル１４の昇降動作は、作業者が手作業で行うようにしても良いし、或は、操作・表示パネル１４の昇降動作の駆動源としてモータ、エアシリンダ等のアクチュエータを搭載して、作業者のスイッチ操作によりアクチュエータを駆動してその駆動力で操作・表示パネル１４を昇降動作させるようにしても良い。その他の構成は、前記実施例１と同じである。
【００２８】
以上説明した本実施例２では、ベース部１１に、操作・表示パネル１４を実装機モジュール１２の上部側に配置するように支持する支持部材２１を設けて、操作・表示パネル１４を実装機モジュール１２の上部側に配置するようにしたので、作業者が操作・表示パネル１２の画面を離れた場所からでも見やすくなる利点がある。
【００２９】
しかも、本実施例２では、作業者が操作・表示パネル１４を操作するときに操作・表示パネル１４を操作可能な位置（好ましくは操作しやすい位置）に下降できるように構成したので、作業者の身長が低い場合や、実装機モジュール１２の高さが高い場合でも、作業者が操作・表示パネル１４を操作可能な位置（好ましくは操作しやすい位置）に下降させることができて、操作性を確保できる。
【００３０】
尚、本発明は、上記実施例１，２の構成に限定されず、例えば、操作・表示パネルの操作部と表示部を区分して、表示部を液晶パネル、有機ＥＬパネル、ＣＲＴ等で構成し、操作部を専用の操作パネルやキーボード等で構成しても良い等、要旨を逸脱しない範囲内で種々変更して実施できることは言うまでもない。
【符号の説明】
【００３１】
１１…ベース部、１２…実装機モジュール、１４…操作・表示パネル、１５…マルチプレクサ、２１…支持部材
【図１】
2015090943.tif 000003
【図２】
2015090943.tif 000004
【図３】
2015090943.tif 000005